(57)【要約】【課題】相反入力条件の下で設計パラメータを順次変更して自動設計を行う際に生ずる不整合について設計支援を行うことである。【解決手段】相反入力条件であるドア意匠線６０とロッカーアウター線６２の下でドアインナー線の最適配置を求める際に不整合が生じると、不整合状況をロッカーアウター線６２との関係で６つの不整合パターンのいずれかに分類して出力する。分類を決めるのは、ロッカーアウター線６２をＷ軸方向に移動させたときの、実線で示すドアインナー線７０ｂの代表点７４の軌跡の仕切り線７６と、上記代表点７４を通る仕切り線７８と、ロッカーアウターを可変範囲内で最も小さくしたときに上記代表点が移動した先の点７５を通る仕切り線８０である。また、分類された不整合パターンに基づき、相反入力条件の修正量等やその自動修正の結果を出力する。【選択図】図３
2005190321.tif 000002
【特許請求の範囲】
【請求項１】
設計対象物の設計目標条件を含む入力データに基づき、設計対象物の設計パラメータを順次変更して最適設計を求める設計支援装置において、
設計対象物の設計目標条件に対し相反して影響を与える複数の相反入力条件を取得する取得手段と、
取得した相反入力条件の下で設計対象物の設計パラメータを変更して設計対象物の自動設計を行い、その結果と設計目標条件との不整合状況をチェックするチェック手段と、
チェックされた不整合状況を、少なくとも１つの相反入力条件との関係で定まる複数の不整合パターンのいずれかに分類する分類手段と、
分類された不整合パターンを出力するパターン出力手段と、
を備えることを特徴とする設計支援装置。
【請求項２】
請求項１に記載の設計支援装置において、
複数の不整合パターンは、少なくとも１つの相反入力条件を修正したときの設計対象物の設計結果に与える影響の内容に基づいて場合分けして定められることを特徴とする設計支援装置。
【請求項３】
請求項１に記載の設計支援装置において、
分類された不整合パターンに基づき、最適設計を求めるための設計パラメータ又は相反入力条件に関するアドバイスを出力するアドバイス出力手段を備えることを特徴とする設計支援装置。
【請求項４】
請求項３に記載の設計支援装置において、
アドバイスに従って設計対象物の自動設計を行い、その結果を出力する設計結果出力手段を備えることを特徴とする設計支援装置。
【請求項５】
設計対象物の設計目標条件を含む入力データに基づき、設計対象物の設計パラメータを順次変更して最適設計を求める設計支援装置上で実行される設計支援プログラムであって、
設計対象物の設計目標条件に対し相反して影響を与える複数の相反入力条件を取得する取得処理手順と、
取得した相反入力条件の下で設計対象物の設計パラメータを変更して設計対象物の自動設計を行い、その結果と設計目標条件との不整合状況をチェックするチェック処理手順と、
チェックされた不整合状況を、少なくとも１つの相反入力条件との関係で定まる複数の不整合パターンのいずれかに分類する分類処理手順と、
分類された不整合パターンを出力するパターン出力処理手順と、
を実行することを特徴とする設計支援プログラム。
【発明の詳細な説明】
【技術分野】
【０００１】
本発明は設計支援装置及び設計支援プログラムに係り、特に設計対象物の設計目標条件と複数の相反入力条件とを含む入力データに基づき、設計対象物の設計パラメータを順次変更して最適設計を求める設計支援装置及び設計支援プログラムに関する。
【背景技術】
【０００２】
３次元ＣＡＤ（Ｃｏｍｐｕｔｅｒ  Ａｉｄｅｄ  Ｄｅｓｉｇｎ）の設計支援を行うものの１つに、いわゆるパラメトリック設計がある。パラメトリック設計の例としては、設計の手順を予め記憶しておき、初期値が与えられるとそこからスタートし、設計パラメータを順次変更し、設計目標に近づけるように自動設計を進めるものがある。このように、設計支援装置が予め設計手順を記憶しているものを用いれば、入力データがその設計手順の想定している範囲にある限り、最適の答えを自動で見つけてくれてその結果を出力するので、設計が自動でき、設計に要する時間も大幅に短縮できる。これと同等または類似するものにエキスパートシステムがある。例えば特許文献１には、設計計画にエキスパートシステムを用い、設計要求条件、設計変数等に初期値を設定し、専門家の知識を反映した設計評価手段を設け、設計変数の定量的評価を行い、これが不満足のときは設計変数の値を少し変更し再び設計評価を行うことが開示されている。
【０００３】
【特許文献１】特開平７−１０５２５０号公報
【発明の開示】
【発明が解決しようとする課題】
【０００４】
しかし、このような設計支援装置を用いるとしても、入力データがその設計支援装置が想定している設計手順の処理できる範囲にないときは問題である。すなわち、その設計支援装置が予め記憶している設計手順の内容や、実際にその設計支援装置が行った演算過程の内容についてはブラックボックスとされ、ユーザには、単に「設計不能」とか「最適解を求められない」といった回答しか与えられない。したがって、ユーザは、どこに不都合があるのかわからないまま、入力データを適当に変更又は修正し直し、再度自動設計を指示することになる。このようなことを繰り返すことになると、設計にかえって時間がかかることになる。
【０００５】
例えば、複数の入力条件が与えられるときに、それぞれの入力条件が設計対象の設計目標条件に対し相反する場合がある。このような相反入力条件としては、２つの境界条件が与えられ、その範囲で設計対象物の最適配置を求めるようなものがある。この場合、一方の境界条件に合わせて設計対象物の配置を近づけると他方の境界条件から遠ざかり、逆に他方の境界条件に近づけると一方の境界条件から遠ざかってしまい、最適配置が求められないことがある。
【０００６】
図６は模式的にその様子を説明するための図である。ここでは、２つの境界条件２，４が与えられていて、その間に設計対象物を最適配置する場合である。２つの境界条件は例えば、向かい合う２つの意匠線である。いま、他方側の境界条件を考えずに一方側の境界条件のみの下で最適設計を求めてゆくには、一方側の境界条件からスタートして設計対象物の設計パラメータを順次変更して設計結果６を得るようにすればよい。また、一方側の境界条件を考えずに他方側の境界条件のみの下で最適設計を求めてゆくには、他方側の境界条件からスタートして設計対象物の設計パラメータを順次変更して設計結果８を得るようにすればよい。その結果、設計結果６と、設計結果８との間には不整合代（しろ）Δの食い違いが生ずる。なお、破線、一点鎖線で途中経過を示してある。この不整合代（しろ）のために、２つの境界条件２，４を共に考慮して設計対象物の最適配置を求めようとしても、一方側に合わせれば他方側を満足せず、他方側に合わせれば一方側を満足しない相反状態になってしまうことになる。
【０００７】
このように、設計対象物の設計目標条件に対し相反する影響を与える複数の入力条件が与えられると、上記の最適設計を求める設計支援装置では、不整合になった時点でそれ以上処理を進めることができず、ユーザに「不整合」の結果のみを出力して処理を終了してしまう。ユーザは、「不整合」の状況が知らされて初めて相反する入力条件が良くないことがわかり、そこで相反入力条件を手直しすることになる。また、上記の最適設計を求める設計支援装置では入力条件を前提として設計対象物の設計パラメータを変更してゆく機能であるので、「不整合」のときの変更又は修正方向等を知らせる機能を有しない。したがって、ユーザは、どこに不都合があるのかわからないまま、相反入力条件のデータを適当に変更又は修正し直し、再度自動設計を指示することになり、問題解決に時間がかかる。
【０００８】
本発明の目的は、かかる従来技術の課題を解決し、相反入力条件の下で設計パラメータを順次変更して自動設計を行う際に生ずる不整合について支援を行うことができる設計支援装置及び設計支援プログラムを提供することである。
【課題を解決するための手段】
【０００９】
上記目的を達成するため、本発明に係る設計支援装置は、設計対象物の設計目標条件を含む入力データに基づき、設計対象物の設計パラメータを順次変更して最適設計を求める設計支援装置において、設計対象物の設計目標条件に対し相反して影響を与える複数の相反入力条件を取得する取得手段と、取得した相反入力条件の下で設計対象物の設計パラメータを変更して設計対象物の自動設計を行い、その結果と設計目標条件との不整合状況をチェックするチェック手段と、チェックされた不整合状況を、少なくとも１つの相反入力条件との関係で定まる複数の不整合パターンのいずれかに分類する分類手段と、分類された不整合パターンを出力するパターン出力手段と、を備えることを特徴とする。
【００１０】
また、複数の不整合パターンは、少なくとも１つの相反入力条件を修正したときの設計対象物の設計結果に与える影響の内容に基づいて場合分けして定められることが好ましい。
【００１１】
また、本発明に係る設計支援装置において、分類された不整合パターンに基づき、最適設計を求めるための設計パラメータ又は相反入力条件に関するアドバイスを出力するアドバイス出力手段を備えることが好ましい。
【００１２】
また、本発明に係る設計支援装置において、アドバイスに従って設計対象物の自動設計を行い、その結果を出力する設計結果出力手段を備えることが好ましい。
【００１３】
また、本発明に係る設計支援プログラムは、設計対象物の設計目標条件を含む入力データに基づき、設計対象物の設計パラメータを順次変更して最適設計を求める設計支援装置上で実行される設計支援プログラムであって、設計対象物の設計目標条件に対し相反して影響を与える複数の相反入力条件を取得する取得処理手順と、取得した相反入力条件の下で設計対象物の設計パラメータを変更して設計対象物の自動設計を行い、その結果と設計目標条件との不整合状況をチェックするチェック処理手順と、チェックされた不整合状況を、少なくとも１つの相反入力条件との関係で定まる複数の不整合パターンのいずれかに分類する分類処理手順と、分類された不整合パターンを出力するパターン出力処理手順と、を実行することを特徴とする。
【発明の効果】
【００１４】
上記構成の少なくとも１つにより、相反入力条件の下での自動設計で不整合が生ずると、不整合状況をチェックし、これを不整合パターンのいずれかに分類して出力する。不整合パターンの分類は、すくなくとも１つの相反入力条件との関係で定められる。したがって、ユーザは、不整合が生じたことのみならず、少なくとも１つの相反入力条件に関係した不整合パターンのいずれに該当するかが知らされ、これに基づいて相反入力条件の変更又は修正の方向等についての判断が容易となる。
【００１５】
また、上記構成の少なくとも１つにより、不整合パターンの分類は、少なくとも１つの相反入力条件を変更又は修正したときの設計対象物の設計結果に与える影響に基づいて行われる。例えば、相反入力条件を変更又は修正したときに、設計対象物の設計結果がどちらの方向に変化するのか、その変化の大きさはどの程度か、等の影響に基づいて不整合パターンを分類できる。したがって、ユーザは出力された不整合パターンをみて、その分類の意味から、相反入力条件をどのように変更又は修正すれば設計目標条件に近づけられるかが容易に判断できる。
【００１６】
また、上記構成の少なくとも１つにより、分類された不整合パターンに基づいて相反入力条件のアドバイスを出力する。分類された不整合パターンには、少なくとも１つの相反入力条件についての設計結果に対する影響の内容が含まれているので、それに基づき相反入力条件の変更又は修正についてアドバイスを出力できる。ユーザはこれをみて、相反入力条件の変更又は修正の指示等を適切に行うことができるので、不整合の問題解決を迅速に行うことができる。
【００１７】
また、上記構成の少なくとも１つにより、アドバイスを実行したときの設計結果を出力する。したがって不整合の問題解決をより迅速に行うことができる。
【００１８】
上記のように、本発明に係る設計支援装置及び設計支援プログラムによれば、相反入力条件の下で設計パラメータを順次変更して自動設計を行う際に生ずる不整合について支援を行うことができる。
【発明を実施するための最良の形態】
【００１９】
以下に図面を用いて本発明に係る実施の形態につき詳細に説明する。以下においては、設計支援の対象として車両の意匠に関するもの、さらに具体的にはドア周りの要素配置の設計支援について説明するが、車両以外の製品を対象としてもよく、意匠のみならず機構部品等の自動作図に関するものでもよく、配置設計のみならず形状や寸法設計等であってもよい。また、３次元設計のみならず２次元設計に関するものであってもよい。また、設計支援装置は、独立の装置であってもよく、あるいはネットワークによって他の装置に接続されるものであってもよい。また、設計支援プログラムは、独立のプログラムであってもよく、すでにある設計支援プログラムに組み込まれるものであってもよい。
【００２０】
図１は設計支援装置１０のブロック図である。設計支援装置１０は、ＣＰＵ１２とキーボード等の入力部１４、ディスプレイやプロッタ等の出力部１６、プログラムや設計結果等を記憶する記憶装置１８を含み、これらは内部バスで相互に接続される。入力部１４と出力部１６とを融合させ、例えばディスプレイ上において対話型で入出力を行うものとしてもよい。また、外部のネットワークに接続する通信制御機能を有してもよい。かかる設計支援装置１０は、３次元設計に適したコンピュータ等で構成することができる。
【００２１】
ＣＰＵ１２は、相反入力条件を取得し、この下で実行された設計結果の不整合状況のチェックと、それを不整合パターンに分類し、さらにアドバイスやそれに従った設計結果を出力する不整合に関する支援機能と、設計対象物の設計パラメータを順次変更して自動作図、自動配置等を行って設計対象物の最適設計を求める最適設計機能とを有する。前者の機能は、相反入力条件取得部２２、不整合状況チェック部２４、不整合パターン分類部２６、パターン出力部２８、アドバイス出力部３０、設計結果出力部３２で示される機能を含み、後者の機能は最適設計処理部４０で示される機能を含む。これらの機能の詳細は後述する。これらの機能は、ソフトウエアによって実現することができ、具体的には対応する設計支援プログラムを実行することで実現できる。また、各機能の一部をハードウエアで実現するように構成してもよい。
【００２２】
かかる構成の設計支援装置の作用を説明するために、相反入力条件の下で設計対象物の最適設計を求める例として、車両のドア周りにおける配置設計についての設計支援を用いる。図２は、車両のドア周りにおける配置をモデル化した図であり、２つの相反する境界条件として、ドアアウターを示すドア意匠線６０と、車体の一部であるロッカーアウターの外形線を示すロッカーアウター線６２が示される。ロッカーアウターは、ときにサイメンと呼ばれることがある。設計対象物は、ドア意匠線６０とロッカーアウター線６２との間に配置されるドアインナー線で、図２ではドア意匠線６０に対する設計目標条件を満たす配置のときのドアインナー線７０ａと、ロッカーアウター線６２に対する設計目標条件を満たす配置のときのドアインナー線７０ｂとが示されている。かかるドアインナーの最適配置を求めるために、例えば「ドアインナー配置」等の名称の設計支援プログラムが用意される。
【００２３】
図２から理解できるように、ドアインナー線は、ドア意匠線６０に近づけようとすればロッカーアウター線６２から遠ざかり、逆にロッカーアウター線６２に近づけようとすればドア意匠線６０から遠ざかることになるので、ドア意匠線６０とロッカーアウター線６２はドアインナー線に対し、その設計目標条件に相反する影響を与える相反入力条件となる。そして、ドア意匠線６０に対する設計目標条件を満たす配置のときのドアインナー線７０ａと、ロッカーアウター線６２に対する設計目標条件を満たす配置のときのドアインナー線７０ｂとの間には、不整合代（しろ）Δが生じている。
【００２４】
次にＣＰＵ１２の各機能を、不整合に関する設計支援の手順に従って説明する。最初に設計支援プログラムが立ち上げられる（起動処理手順）。図２の例では「ドアインナー配置」プログラムが起動される。「ドアインナー配置」の設計支援プログラムは、ＣＰＵ１２の最適設計処理部４０の機能により、ドアインナーの最適配置を自動で求めることができる。すなわち、ドアインナー配置に関する設計目標条件と、ドアインナー配置に関する設計項目、ドア意匠線やロッカーアウター線を含むの入力条件等の入力に従い、設計目標条件を満たすように、ドアインナーの配置パラメータにつき初期値から順次その値を変更し、ドアインナーとドア意匠線やロッカーアウター線との関係でドアインナーの最適設計を自動で求めることができる。
【００２５】
次に、ＣＰＵ１２の相反入力条件取得部２２の機能により、ドア意匠線、ロッカーアウター線の相反入力条件とともに、「ドアインナー配置」の設計支援を実行するために必要なデータが取得される（相反入力条件取得処理手順）。具体的には、ユーザが入力部１４を介して入力する各種データを取得する。記憶装置１８に格納されているデータを呼び出してこれを入力データとして取得してもよい。必要な入力データが取得されると、最適設計処理部４０の機能により、ドア意匠線、ロッカーアウター線が初期状態に配置され、これに対してドアインナー線の自動配置、自動作図が実行される（最適設計処理手順）。ドア意匠線、ロッカーアウター線の初期状態は、例えば、ドア意匠線を最も小さく、すなわち車両のより内側に、ロッカーアウターをもっとも大きく、すなわち車両のより外側に配置するものとすることができる。設計対象であるドアインナー線の初期配置は、例えばドア意匠線、ロッカーアウター線の中間の位置としてもよく、あるいはドア意匠線のみの境界条件からの最適配置状態、またはロッカーアウター線のみの境界条件からの最適配置状態等からのスタートとしてもよい。
【００２６】
最適設計処理部４０の機能は、設計対象であるドアインナー線の配置パラメータ、すなわち座標の移動及び全体の回転等を順次変更して、設計目標条件に近づけ、最適配置を求めるものであるので、すべての設計目標条件を満たす配置パラメータが見つかれば、そこで最適配置とされ、その配置状態等を３次元ＣＡＤ図等に出力し、本来の目的を達して設計支援を終了する。
【００２７】
図２の例では不整合代（しろ）Δがある場合なので、ドア意匠線６０からみた設計目標条件とロッカーアウター線６２からみた設計目標条件とは両立せず、その結果「不整合」となる。この場合、ＣＰＵ１２の不整合状況チェック部２４の機能により、不整合の状況がチェックされる（不整合状況チェック処理手順）。具体的には、「不整合」とされたときのドアインナー線の配置状態をドア意匠線６０、ロッカーアウター線６２との関係で読み取り適当なメモリに記憶する。図２の例では、通常不整合代（しろ）Δの領域内で「不整合」とされるので、その配置状態を読み取り、記憶する。
【００２８】
次に、不整合パターン分類部２６の機能により、不整合状況を複数の不整合パターンのいずれかに分類する（不整合パターン分類処理手順）。不整合パターンは、相反入力条件であるドア意匠線又はロッカーアウター線との関係、あるいはドア意匠線及びロッカーアウター線との関係で分類されるのが好ましい。また、相反入力条件を修正することで最適設計を求められるようにしたいので、ドア意匠線又はロッカーアウター線を修正したときに設計目標条件に与える影響の内容に基づいて分類されるのが好ましい。
【００２９】
図３に、ロッカーアウター線６２との関係で分類される６つの不整合パターンＡ，Ｂ，Ｃ，Ｄ，Ｅ，Ｆを示す。ここで、図２と同様の要素には同一の符号を付してある。ドア意匠線６０とロッカーアウター線６２は、それぞれ初期状態のドアアウターの意匠線、ロッカーアウターの外形を示す線である。また、実線で示すドアインナー線７０ｂは、初期状態のロッカーアウター線６２の条件のみを考慮したときに設計目標条件を満たすドアインナー線である。ここで破線によって示されるドアインナー線７２は、「不整合」とされたときに不整合状況チェック処理手順により読み取られたドアインナー線である。
【００３０】
図３において、ロッカーアウター線６２とドアインナー線７２は、いずれも２次元の広がりを有しているので、相対関係を説明するのに不便である。そこで、ドアインナー線７２と、ロッカーアウター線６２の配置を代表する点として、それぞれの干渉しやすい角部の点７３，７４を選ぶものとする。
【００３１】
不整合パターンＡ，Ｂ，Ｃ，Ｄ，Ｅ，Ｆは、「不整合」とされたときのドアインナー線７２の代表点８２が、この６つの領域のどの領域にあるかでもって分類するものである。不整合パターンＡ，Ｂ，Ｃ，Ｄ，Ｅ，Ｆは、３つの仕切り線７６，７８，８０によって６つに分けられた領域を用い、「不整合」とされたときのドアインナー線７２の代表点８２が、この６つの領域のどの領域にあるかでもって不整合状況を分類しようとするものである。３つの仕切り線のうち、図３に示すＷ方向にやや傾いて延びる仕切り線７６は、仮にロッカーアウター線６２をＷ軸方向に移動させたときの、実線で示すドアインナー線７０ｂの代表点７４の軌跡である。また、Ｈ方向に延びる２つの仕切り線のうち、１つの仕切り線７８は実線で示すドアインナー線７０ｂの代表点７４を通る。もう一方の仕切り線８０は、ロッカーアウターの可変範囲で最も小さく、すなわちロッカーアウター線６２の代表点７３を可変範囲の中で最も−Ｗ方向に移動させたときに、実線で示すドアインナー線７０ｂの代表点７４の移動した先の点７５を通る線である。ロッカーアウターの可変範囲としては、例えばロッカーアウターのドア側の面に対する絞りが生産技術上で可変範囲であるときは、それらを用いることができる。このときには、ロッカーアウターの最小絞りに対応して、実線で示すドアインナー線７０ｂの代表点７４が仕切り線７６の上を−Ｗ方向に移動し、点７５に至ることになるので、この点７５を通る仕切り線８０を引くことができる。
【００３２】
不整合状況を、相反入力条件の１つであるロッカーアウター線６２との関係、特にロッカーアウター線６２を修正したときのドアインナー線の設計目標条件に与える影響の内容に基づいて、上記のように６つの不整合パターンＡ，Ｂ，Ｃ，Ｄ，Ｅ，Ｆに分けることで、不整合をどのように解消すればよいかがわかりやすくなる。例えば、仕切り線７６より＋Ｗ方向に不整合が生じているときは、ロッカーアウター線６２と離れすぎていることを示し、逆に仕切り線７６より−Ｗ方向に不整合が生じているときは、ロッカーアウター線６２に近すぎることを示しているので、これを解消するようにロッカーアウター線６２、ドア意匠線６０の入力データの修正が可能かどうか検討することが好ましい。また、仕切り線７８より＋Ｗ側に不整合が生じているときは、ロッカーアウター線６２の可変範囲を超えてドア意匠線６０に近すぎることを示し、逆に−Ｗ側に不整合が生じているときは、ロッカーアウター線６２の可変範囲を超えてドア意匠線６０から離れ過ぎていることを示しているので、可能ならばドア意匠線６０の修正を検討するのが好ましいことがわかる。
【００３３】
次に、パターン出力部２８の機能により、分類された不整合パターンを出力する（不整合パターン出力処理手順）。図３の例では「不整合パターン：Ａ」と出力部１６のディスプレイ等に出力する。好ましくは、アドバイス出力部３０の機能により、分類された不整合パターンに基づいて、最適設計を求めるための相反入力条件の修正内容、及び必要ならばそれに伴う設計パラメータの変更等をアドバイスとして生成し出力する（アドバイス出力処理手順）。その内容としては、ドア意匠線６０、ロッカーアウター線６２の修正内容をＷ方向、Ｈ方向に分け、その修正量等を示すことが望ましい。これにより、ユーザは、何をどれだけ修正するかわかるので、それに従って入力条件を修正し、再度最適設計処理を実行させることができる。
【００３４】
また、さらに望ましくは、アドバイス出力部３０の機能により生成された修正量等に従い、最適設計処理部４０の機能を用いて自動的に形状生成、配置を行い、その結果を出力する（設計結果出力処理手順）。
【００３５】
図４、図５に、不整合パターン出力、アドバイス出力、設計結果出力を行ったときの、出力部１６におけるメッセージ部分の例を示す。図４には、Ｗ方向についての３つの事例を示す。これら３つの事例はそれぞれ別々の事例である。メッセージに見るように、不整合パターンがＡ，Ｂ，Ｃ，Ｄ，Ｅ，Ｆで示され、それぞれについて必要ならばドア意匠線の修正方向、修正量が示されている。また、図示されていないが、アドバイスに基づいた自動補正を行った設計結果の出力を行っているので、それを見てコメントするように注意を促していることがわかる。図５には、Ｈ方向について別の２つの事例を示す。これら２つの事例もそれぞれ別々の事例である。
【００３６】
上記において、相反入力条件が２つの場合について説明したが、３以上の場合でも同様に本発明が実施できる。また、上記において、不整合パターンの分類を１つの相反入力条件に基づいて行った場合について説明したが、複数の相反入力条件との関係で定まる不整合パターンに分類することとしてもよい。
【００３７】
このように、最適設計処理部４０の機能だけでは、ユーザは不整合の有無の状況しか入手できなかったのに対し、不整合に関する支援機能を備えることで、具体的な不整合パターンを知ることができて、判断材料を得ることができ、さらにそれに基づいて何をどれだけ修正すればよいかのアドバイス出力、それに基づく自動的な形状の生成により、より迅速に不整合の解消を行うことができる。
【図面の簡単な説明】
【００３８】
【図１】本発明に係る実施の形態における設計支援装置のブロック図である。
【図２】車両のドア周りにおいて、２つの相反入力条件としてのドア意匠線と、ロッカーアウター線と、設計対象のドアインナー線とを示す図である。
【図３】本発明に係る実施の形態において、ロッカーアウター線との関係で分類される６つの不整合パターンを示す図である。
【図４】本発明に係る実施の形態において、不整合パターンやアドバイスを含む出力の例を示す図である。
【図５】本発明に係る実施の形態において、不整合パターンやアドバイスを含む出力の他の例を示す図である。
【図６】２つの相反する境界条件の間に設計対象物を最適配置する様子をモデル的に示す図である。
【符号の説明】
【００３９】
２，４  相反する境界条件、１０  設計支援装置、１２  ＣＰＵ、１４  入力部、１６  出力部、１８  記憶装置、２２  相反入力条件取得部、２４  不整合状況チェック部、２６  不整合パターン分類部、２８  パターン出力部、３０  アドバイス出力部、３２  設計結果出力部、４０  最適設計処理部、６０  ドア意匠線、６２  ロッカーアウター線、７０ａ，７０ｂ，７２  ドアインナー線、７３  ロッカーアウター線の代表点、７４，７５，８２  ドアインナー線の代表点、７６，７８，８０  仕切り線、Ａ，Ｂ，Ｃ，Ｄ，Ｅ，Ｆ  不整合パターン。
【図１】
2005190321.tif 000003
【図２】
2005190321.tif 000004
【図３】
2005190321.tif 000005
【図４】
2005190321.tif 000006
【図５】
2005190321.tif 000007
【図６】
2005190321.tif 000008